(57)【要約】【課題】タインの支持部等に対する藁屑等の絡み付きの防止を安価に実現できる普通型コンバインを提供する。【解決手段】回転駆動されて植立穀稈を掻き込む掻込リールが備えられ、掻込リールに、左右一対のリールフレームと、左右一対のリールフレームに亘って架け渡された左右向きの複数の支持バー２８と、支持バー２８に支持される複数のタイン３０と、柔軟性を有する可撓性シートで構成され、タイン３０のうち支持バー２８に支持される支持部３４、及び、支持バー２８の全周を覆うハンプカバー４５と、が備えられている。【選択図】図７
2015136301.tif 000002
【特許請求の範囲】
【請求項１】
回転駆動されて植立穀稈を掻き込む掻込リールが備えられ、
前記掻込リールに、
左右一対のリールフレームと、
前記左右一対のリールフレームに亘って架け渡された左右向きの複数の支持バーと、
前記支持バーに支持される複数のタインと、
柔軟性を有する可撓性シートで構成され、前記タインのうち前記支持バーに支持される支持部、及び、前記支持バーの全周を覆うカバーと、が備えられている普通型コンバイン。
【請求項２】
前記カバーを前記支持バーに固定する固定具が備えられ、
前記固定具が、前記カバーの外側から前記支持バーに巻き付けられている請求項１に記載の普通型コンバイン。
【請求項３】
前記カバーが、貫通部を有しており、
前記固定具が、前記貫通部を貫通している請求項２に記載の普通型コンバイン。
【請求項４】
前記固定具が、前記カバーの上下中間箇所を貫通している請求項２または３に記載の普通型コンバイン。
【請求項５】
前記カバーが、前記支持バーの周方向において、端部同士を重ね合わせた状態で、前記支持バー及び前記支持部を覆っている請求項１乃至４のいずれか一項に記載の普通型コンバイン。
【請求項６】
前記カバーを前記支持バーに固定する固定具が備えられ、
前記カバーにおいて端部同士を重ね合わせた部分に、前記固定具が巻き回されている請求項５に記載の普通型コンバイン。
【請求項７】
前記端部同士が、前記支持バーの上方において重ね合わせられている請求項５または６に記載の普通型コンバイン。
【請求項８】
前記端部同士が、前記支持部に対応する位置において重ね合わせられている請求項５乃至７のいずれか一項に記載の普通型コンバイン。
【請求項９】
前記タインが、弦巻状のバネ部を有し、
前記カバーが、前記バネ部を覆っている請求項１乃至８のいずれか一項に記載の普通型コンバイン。
【請求項１０】
前記カバーを前記支持バーに固定する固定具が備えられ、
前記固定具が、前記カバーの外側から前記支持バーに巻き付けられており、
前記カバーが、貫通部を有しており、
前記固定具が、前記カバーのうち、前記支持バーと前記バネ部に対応する位置を貫通している請求項９に記載の普通型コンバイン。
【請求項１１】
前記タインが、
前記支持部から下方に延出される下方延出部と、
前記下方延出部から前側斜め下方に延出される前方延出部と、
前記前方延出部から後側斜め下方に延出される後方延出部と、を有し、
前記後方延出部の下端部が、前記タインの下端部に設定され、かつ、前記支持バーの略下方に位置している請求項１乃至９のいずれか一項に記載の普通型コンバイン。
【請求項１２】
前記リールフレームを回転自在に支持する前後向きの左右一対の支持フレームと、
前記掻込リールによって掻き込まれた穀稈を刈る刈刃と、が備えられ、
前記掻込リールを回転駆動した際の前記タインの先端軌跡が、前記刈刃よりも低い位置を通過するように、前記支持フレームが前下がりに屈曲されている請求項１乃至９のいずれか一項に記載の普通型コンバイン。
【発明の詳細な説明】
【技術分野】
【０００１】
本発明は、回転駆動されて植立穀稈を掻き込む掻込リールが備えられた普通型コンバインに関する。
【背景技術】
【０００２】
例えば、特許文献１に、従来の普通型コンバインが記載されている。特許文献１に記載の普通型コンバインでは、支持バーに支持される複数のタインの支持部が、支持バーの長手方向に沿って長い形状の硬質樹脂製のカバーで覆われており、その硬質樹脂製のカバーによって、タインの支持部に対する藁屑等の絡み付きを防止している。
【先行技術文献】
【特許文献】
【０００３】
【特許文献１】特開２００９−３９０２６号公報（図１２）
【発明の概要】
【発明が解決しようとする課題】
【０００４】
しかし、従来の技術では、タインの支持部を覆う硬質樹脂製のカバーは、引き抜き工法を用いて製作されるため、高価になる傾向があった。このため、タインの周辺への藁屑等の絡み付きを防止する措置を講じるための費用が高くなりがちであった。
【０００５】
上記実情に鑑み、タインの支持部等に対する藁屑等の絡み付きの防止を安価に実現できる普通型コンバインの提供が望まれていた。
【課題を解決するための手段】
【０００６】
本発明の特徴は、回転駆動されて植立穀稈を掻き込む掻込リールが備えられ、前記掻込リールに、左右一対のリールフレームと、前記左右一対のリールフレームに亘って架け渡された左右向きの複数の支持バーと、前記支持バーに支持される複数のタインと、柔軟性を有する可撓性シートで構成され、前記タインのうち前記支持バーに支持される支持部、及び、前記支持バーの全周を覆うカバーと、が備えられている点にある。
【０００７】
本発明によると、タインのうち支持バーに支持される支持部、及び、支持バーの全周がカバーで覆われているので、タインのうち支持バーに支持される支持部、及び、支持バーの全周において、藁屑等がタインの支持部等に侵入することが防止される。このため、タインの支持部等に藁屑等が絡み付くことをカバーによって効果的に防止できる。そして、そのカバーを、柔軟性を有する可撓性シートにより構成しており、つまり、柔軟性を有する可撓性シートを曲げて、タインの支持部及び支持バーの全周を覆うカバーとしているので、従来の硬質樹脂製のカバーよりも安価となる。このように、本発明によれば、タインの支持部等に対する藁屑等の絡み付きの防止を安価に実現できる。
【０００８】
本発明において、前記カバーを前記支持バーに固定する固定具が備えられ、前記固定具が、前記カバーの外側から前記支持バーに巻き付けられていると好適である。
【０００９】
本構成によれば、カバーの外側から固定具を支持バーに巻き付けることによって、カバーを支持バーに固定するので、固定具の締め付けによって、支持バーに対してカバーをしっかりと固定できる。
【００１０】
本発明において、前記カバーが、貫通部を有しており、前記固定具が、前記貫通部を貫通していると好適である。
【００１１】
本構成によれば、カバーの貫通部を貫通させるように、固定具でカバーを支持バーに固定しているため、固定具とカバーが位置ずれしにくくなり、支持バーに対してカバーが位置ずれしにくくなる。
【００１２】
本発明において、前記固定具が、前記カバーの上下中間箇所を貫通していると好適である。
【００１３】
本構成によれば、固定具によって、カバーの上下中間箇所がある程度位置決めされるので、例えば、掻い込みリールの作動時等に、カバーのバタつきが生じることを防止できる。
【００１４】
本発明において、前記カバーが、前記支持バーの周方向において、端部同士を重ね合わせた状態で、前記支持バー及び前記支持部を覆っていると好適である。
【００１５】
本構成によれば、カバーによって支持バー及びタインの支持部の全周を覆うにあたり、支持バーの周方向において、カバーの端部同士を重ね合わせている。このため、カバーの端部からタインの支持部側に藁屑等が侵入することを効果的に防止できる。
【００１６】
本発明において、前記カバーにおいて端部同士を重ね合わせた部分に、前記固定具が巻き回されていると好適である。
【００１７】
本構成によれば、カバーにおいて端部同士を重ね合わせた部分が、固定具による締め付けによって、支持バー側へ押し付けられるので、カバーの端部同士の重なりが解けにくくなり、カバーを支持バーに好適に固定できる。
【００１８】
本発明において、前記カバーを前記支持バーに固定する固定具が備えられ、前記端部同士が、前記支持バーの上方において重ね合わせられていると好適である。
【００１９】
本構成によれば、カバーの端部同士の重なり部分によって、支持バーの上方側が重点的に覆われるので、支持バーの上方から接近する藁屑等が、タインの支持部側へ侵入することを好適に防止できる。
【００２０】
本発明において、前記端部同士が、前記支持部に対応する位置において重ね合わせられていると好適である。
【００２１】
本構成によれば、カバーの端部同士の重なり部分によって、藁屑等が特に絡み付きやすいタインの支持部が重点的に覆われるので、タインの支持部に対する藁屑等の絡み付きがより生じにくくなる。
【００２２】
本発明において、前記タインが、弦巻状のバネ部を有し、前記カバーが、前記バネ部を覆っていると好適である。
【００２３】
本構成によれば、タインにおいて藁屑等が絡み付きやすい傾向にある弦巻状のバネ部が、カバーで覆われている。このため、藁屑等がバネ部に接触することがカバーによって防がれ、バネ部において藁屑等の絡み付きが発生することを防止できる。
【００２４】
本発明において、前記カバーを前記支持バーに固定する固定具が備えられ、前記固定具が、前記カバーの外側から前記支持バーに巻き付けられており、前記カバーが、貫通部を有しており、前記固定具が、前記カバーのうち、前記支持バーと前記バネ部に対応する位置を貫通していると好適である。
【００２５】
本構成によれば、支持バーとバネ部に対応する位置を貫通している固定具の締め付けによって、カバーが支持バーとバネ部に押し付けられるので、カバーの例えば、掻い込みリールの作動時等に、カバーのバタつきが生じることを防止できる。
【００２６】
本発明において、前記タインが、前記支持部から下方に延出される下方延出部と、前記下方延出部から前側斜め下方に延出される前方延出部と、前記前方延出部から後側斜め下方に延出される後方延出部と、を有し、前記後方延出部の下端部が、前記タインの下端部に設定され、かつ、前記支持バーの略下方に位置していると好適である。
【００２７】
本構成によれば、タインの下端部が、支持バーの略下方に位置しているので、支持バーよりも後方にタインの下端部が位置しているものよりも、タインの下端部に対する支持バーの位置が後方側へ偏倚したものとなる。このため、タインの先端軌跡を描くタインの下端部の位置を変更することなく、支持バーを備える掻込リール全体の配置位置を後方へ引退させることが可能になり、掻込リールの前方への突出量を小さく抑えることができる。
【００２８】
本発明において、前記リールフレームを回転自在に支持する前後向きの左右一対の支持フレームと、前記掻込リールによって掻き込まれた穀稈を刈る刈刃と、が備えられ、前記掻込リールを回転駆動した際の前記タインの先端軌跡が、前記刈刃よりも低い位置を通過するように、前記支持フレームが前下がりに屈曲されていると好適である。
【００２９】
本構成によれば、支持フレームが前下がりに屈曲されていることにより、掻込リールの支持位置が低くなり、掻込リールを回転駆動した際のタインの先端軌跡が刈刃よりも低い位置を通過する。これにより、刈刃よりも低い位置に倒伏した植立穀稈であっても、タインで引き起こして刈刃で刈ることが可能になるので、植立穀稈の刈り残しが生じる可能性を低減できる。
【図面の簡単な説明】
【００３０】
【図１】普通型コンバインの側面図である。
【図２】普通型コンバインの平面図である。
【図３】掻込リールの側面図である。
【図４】掻込リールの正面図である。
【図５】図４のＶ−Ｖ断面図である。
【図６】図４のＶＩ−ＶＩ断面図である。
【図７】図４のＶＩＩ−ＶＩＩ断面図である。
【図８】タインの周辺を拡大して示す略平面図である。
【図９】ハンプカバーの展開図であり、（ａ）は、第一カバーの展開図、（ｂ）は、第二カバーの展開図、（ｃ）は、第三カバーの展開図、（ｄ）は、第四カバーの展開図である。
【図１０】別実施形態におけるタインを備えた掻込リールの側面図である。
【図１１】別実施形態におけるタインの周辺を示す側断面図である。
【発明を実施するための形態】
【００３１】
以下、本発明の実施形態を図面に基づいて説明する。
〔普通型コンバインの基本構成について〕
図１、図２に示されるように、普通型コンバインには、走行機体１１を支持する左右一対のクローラ式走行装置１２、植立穀稈を掻き込んで刈り取る刈取装置１３、刈取装置１３によって刈られた刈取穀稈を搬送するフィーダ１４、フィーダ１４から供給される刈取穀稈を全稈投入して脱穀を行う脱穀装置１５、脱穀装置１５から供給される穀粒を貯留する穀粒タンク１６、穀粒タンク１６に貯留された穀粒を外部へ排出するアンローダ１７、作業者が運転操作を行う運転部１８、等が備えられている。
【００３２】
刈取装置１３は、走行機体１１の前部側に配置されている。フィーダ１４は、刈取装置１３の後方に配置されている。脱穀装置１５は、フィーダ１４の後方側に配置されている。脱穀装置１５は、フィーダ１４の後方側に配置されている。穀粒タンク１６は、脱穀装置１５の横隣側に配置されている。運転部１８は、フィーダ１４及び脱穀装置１５の横隣側に配置されている。
【００３３】
図１に示されるように、刈取装置１３は、不図示の油圧シリンダ等からなる昇降機構によって、第一横軸心Ｘ１周りに昇降可能に構成されている。刈取装置１３には、回転駆動されて植立穀稈を掻き込む掻込リール２０、掻込リール２０によって掻き込まれた植立穀稈を刈る刈刃２１、刈刃２１で刈られた刈取穀稈を後方へ送り、フィーダ１４へ供給する横送りオーガ２２、が備えられている。刈刃２１は、刈取フレーム２３に支持されている。
【００３４】
〔掻込リールについて〕
図１、図３、図４に示されるように、掻込リール２０は、刈取フレーム２３に対して第二横軸心Ｘ２周りに昇降操作可能な前後向きの左右一対の支持フレーム２５に回転自在に支持されている。掻込リール２０には、左右の支持フレーム２５にそれぞれ回動自在に支持される機体前後方向に沿った左右一対のリールフレーム２６、左右一対のリールフレーム２６に亘って機体横方向に沿って架け渡された左右向きの複数の支持バー２８、左右一対のリールフレーム２６に亘って機体横方向に沿って架け渡された駆動軸２９、各支持バー２８に支持される下向きの複数のタイン３０が備えられている。複数の支持バー２８は、リールフレーム２６に支持されている。
【００３５】
図３、図４に示されるように、各リールフレーム２６には、複数（６つ）のアーム２６ａ、各アーム２６ａの先端部に備えられたブロック体２６ｂ、複数のブロック体２６ｂに亘って巻き回され、共締めボルトでブロック体２６ｂでアーム２６ａに連結された環状の帯板２６ｃが備えられている。各ブロック体２６ｂは、支持バー２８を回転自在に取り付ける取付部として構成されている。左右のリールフレーム２６のうち一方のリールフレーム２６には、補助回転体２６ｄが備えられている。補助回転体２６ｄは、各支持バー２８にリンク２６ｅを介してそれぞれ連結されている。駆動軸２９を回転させると、ブロック体２６ｂに回動自在に支持されている支持バー２８及び各タイン３０は、上下方向を向く同じ姿勢を維持しながら、駆動軸２９を中心に回転される。
【００３６】
図４、図６に示されるように、支持バー２８には、タイン３０を支持バー２８に取り付けて固定するための取付孔３１が開口されて備えられている。取付孔３１は、支持バー２８に取り付けられるタイン３０と同数備えられている。
【００３７】
図５〜図７に示されるように、タイン３０には、支持バー２８に取り付けられて支持されるＵ字状に屈曲された支持部３４、支持部３４から斜め前側下方に延出される斜前延出部３６、斜前延出部３６から後方に屈曲して延出された斜後延出部３７が備えられている。斜前延出部３６の中途部には、支持部３４の下方側に、２回巻きされた弦巻状のバネ部４０が備えられている。
【００３８】
図４、図６に示されるように、支持バー２８の取付孔３１に、取付板３５を挿通した締結固定用のボルト４１を挿通し、取付板３５と支持バー２８との間に、タイン３０の支持部３４を挟み込んで、ボルト４１にナット４２を締め込むことにより、支持バー２８にタイン３０が固定される。
【００３９】
〔ハンプカバーの取り付けについて〕
図４〜図８に示されるように、各支持バー２８には、タイン３０のうち支持バー２８に支持される支持部３４、及び、支持バー２８の全周を覆うハンプカバー４５が備えられている。ハンプカバー４５は、柔軟性を有する可撓性シートで構成されている。この可撓性シートは、例えば、ポリ塩化ビニル製等の樹脂製のシートである。
【００４０】
図４、図７に示されるように、ハンプカバー４５は、貫通孔４６（「貫通部」の一例）を有している。また、図４、図５に示されるように、ハンプカバー４５は、挿通孔４７を有している。図５〜図８に示されるように、ハンプカバー４５は、前向きとなる一端部４５ａと、後向きとなる他端部４５ｂと、を有しており、ハンプカバー４５の一端部４５ａと他端部４５ｂ同士は、重ね合わされた重複部４５ｃを有している。重複部４５ｃでは、前向きとなる一端部４５ａが、後向きとなる他端部４５ｂの外側に覆い被さるようにして重複されている。このため、走行機体１１を前進走行する際に、前方から接近する植立穀稈から生じる藁屑等が、ハンプカバー４５の内側に侵入しにくくなる。
【００４１】
図５〜図８に示されるように、ハンプカバー４５において重ね合わされた端部同士は、支持バー２８の上方において重ね合わせられている。ハンプカバー４５において重ね合わされた端部同士は、タイン３０の支持部３４に対応する位置において重ね合わせられている。ハンプカバー４５は、タイン３０のバネ部４０覆っている。
【００４２】
〔固定具について〕
図４〜図８に示されるように、固定具４８は、線状の部材であり、例えば、固定具４８は、一端部を他端部に締結固定する形式の樹脂製の結束バンドによって構成されている。固定具４８は、ハンプカバー４５において端部同士を重ね合わせた部分である重複部４５ｃに巻き回されている。固定具４８は、ハンプカバー４５を支持バー２８に固定する。固定具４８は、ハンプカバー４５の外側から支持バー２８に巻き付けられている。固定具４８が、ハンプカバー４５のうち、支持バー２８とバネ部４０に対応する位置を貫通している。固定具４８は、ハンプカバー４５の貫通孔４６を貫通している。固定具４８は、ハンプカバー４５の上下中間箇所を貫通している。ハンプカバー４５は、支持バー２８の周方向において、一端部４５ａと他端部４５ｂ同士を重ね合わせた状態で、支持バー２８及びタイン３０の支持部３４を覆っている。
【００４３】
〔支持バーとハンプカバーとの関係について〕
図３に示されるように、複数の支持バー２８としては、具体的には、３つの第一バー２８Ａと、３つの第二バー２８Ｂと、が備えられている。第一バー２８Ａと第二バー２８Ｂとは、駆動軸２９を中心とする円周上に、第一バー２８Ａと第二バー２８Ｂとが交互に並ぶように、等間隔を空けて配置されている。図４に示されるように、第一バー２８Ａの左右中央部付近、駆動軸２９の左右中央部付近、第二バー２８Ｂの左右中央部付近に亘って、中仕切り部材５５が連結されている。このため、中仕切り部材５５によって、第一バー２８Ａ、第二バー２８Ｂ、駆動軸２９を連結しているので、掻込リール２０の左右幅が大きくても剛性を確保できる。
【００４４】
図４から理解されるように、第一バー２８Ａには、所定の第一ピッチ毎に、タイン３０を締結固定するための締結具であるボルトを挿通するための取付孔３１が備えられている。第二バー２８Ｂには、第一ピッチとは異なる第二ピッチ毎に、タイン３０を締結固定するための締結具であるボルトを挿通するための取付孔３１が備えられている。第一ピッチと第二ピッチとは、約半ピッチずれる関係となっている。
【００４５】
このように、第一バー２８Ａと第二バー２８Ｂとでは、タイン３０用の取付孔３１のピッチ間隔が異なり、さらに、第一バー２８Ａと第二バー２８Ｂとは、それぞれ、中仕切り部材５５によって、左右方向に二つの領域に仕切られている。このため、各領域に対する複数種類のハンプカバー４５が備えられている。具体的には、ハンプカバー４５は、図４、図９に示されるように、第一カバー４５Ａ（図９（ａ）参照）、第二カバー４５Ｂ（図９（ｂ）参照）、第三カバー４５Ｃ（図９（ｃ）参照）、第四カバー４５Ｄ（図９（ｄ）参照）、が備えられている。第一カバー４５Ａ及び第二カバー４５Ｂは、第一バー２８Ａに備えられる。第三カバー４５Ｃ及び第四カバー４５Ｄは、第二バー２８Ｂに備えられる。図９（ａ）〜図９（ｄ）から理解されるように、第一カバー４５Ａ、第二カバー４５Ｂ、第三カバー４５Ｃ、第四カバー４５Ｄは、それぞれ、タイン３０用の挿通孔４７のピッチ、及び、固定具４８用のピッチの組み合わせが異なるカバーである。
【００４６】
〔支持フレームの形状〕
図３に示されるように、支持フレーム２５には、第二横軸心Ｘ２から前方に略水平に延びる水平部２５ａと、水平部２５ａから下方に屈曲する屈曲部２５ｂと、屈曲部２５ｂから駆動軸２９に向けて前下がりで延ばされる前下がり部２５ｃと、が備えられている。つまり、支持フレーム２５は、前下がりに屈曲した形状に形成されている。このため、前後方向に真っ直ぐに延ばされた従来の支持用フレームに比べて、掻込リール２０の高さ位置が低くなっている。このため、掻込リール２０を回転駆動した際のタイン３０の先端軌跡が、刈刃２１よりも低い位置を通過するようになっている。つまり、タイン３０の先端軌跡が通過する植立穀稈の掻き込みの下端位置について、刈刃２１による植立穀稈の刈り高さよりも低くなるマイナス値ｔを確保できる。このため、植立穀稈が長稈で倒伏しやすい場合等に、刈り残しが生じることを防止できる。
【００４７】
〔別実施形態〕
（１）上記実施形態では、支持部３４から斜め前側下方に延出される斜前延出部３６、斜前延出部３６から後方に屈曲して延出された斜後延出部３７が備えられているタイン３０が備えられた掻込リール２０が一例として示されているが、これに限られない。例えば、図１１に示されるようなタイン１３０が備えられた掻込リール１２０であってもよい。
【００４８】
図１１に示されるタイン１３０は、支持部１３４から下方に延出される下方延出部１３１と、下方延出部１３１から前側斜め下方に延出される前方延出部１３２と、前方延出部１３２から後側斜め下方に延出される後方延出部１３３と、を有している。そして、後方延出部１３３の下端部が、タイン１３０の下端部に設定され、かつ、支持バー２８の略下方に位置している。また、下方延出部１３１の中途部には、バネ部１４０が備えられている。このようなタイン１３０であると、支持バー２８に対するタイン１３０の下端部の位置を、より前方に位置させることができる。
【００４９】
このため、図１０に示されるように、タイン１３０の下端部の位置を変更しないようにすると、二点鎖線で示されている掻込リール（図３で示した掻込リール２０）よりも、掻込リール１２０の前端位置を、後側へ後退させることができる。このため、走行機体の重心位置を、より後側へ位置させることが可能になり、走行機体の前後方向の機体バランスを良好にできる。しかも、走行機体の前後長をコンパクトにできる。
【００５０】
（２）上記実施形態では、ハンプカバー４５が、タイン３０（タイン１３０）のバネ部４０（バネ部１４０）を覆っているものを示したがこれに限られない。例えば、ハンプカバー４５が、タイン３０（タイン１３０）のバネ部４０（バネ部１４０）を覆っていないものでもよい。
【００５１】
（３）上記実施形態では、貫通部として、貫通孔４６が一例に示されているが、これに限られない。例えば、線状または十字状等の切れ目等の他の貫通部であってもよい。
【００５２】
（４）上記実施形態では、固定具として、一端部を他端部に締結固定する形式の樹脂製の結束バンドが一例に示されているが、これに限られない。例えば、一端部と他端部を共に捩じって締め付ける針金や、一端部と他端部を結んで締め付ける紐等の他の固定具であってもよい。
【００５３】
（５）上記実施形態では、固定具４８が、ハンプカバー４５の貫通孔４６を貫通しているものが一例に示されているが、これに限られない。例えば、ハンプカバー４５に貫通孔４６を備えずに、ハンプカバー４５の外周部分に固定具４８を巻き回して締め付けることにより、ハンプカバー４５を支持バー２８に固定するものであってもよい。
【００５４】
（６）上記実施形態では、固定具４８が、ハンプカバー４５の上下中間箇所を貫通しているものが一例に示されているが、これに限られない。固定具４８が、ハンプカバー４５の上側部分または下側部分を貫通していてもよい。
【００５５】
（７）上記実施形態では、ハンプカバー４５の一端部４５ａと他端部４５ｂとが、支持バー２８の上方において重ね合わせられているものを一例に示したが、これに限られない。例えば、ハンプカバー４５の一端部４５ａと他端部４５ｂとが、支持バー２８の下方、前方、後方において重ね合わせられていてもよい。
【００５６】
（８）上記実施形態では、ハンプカバー４５の前向きとなる一端部４５ａが、後向きとなる他端部４５ｂの外側に覆い被さるようにして重複されているものを一例に示したが、これに限られない。例えば、ハンプカバー４５の後向きとなる他端部４５ｂが、前向きとなる一端部４５ａの外側に覆い被さるようにして重複されていてもよい。また、ハンプカバー４５の前向きとなる一端部４５ａと、後向きとなる他端部４５ｂとが重なり合っていないものでもよい。
【００５７】
（９）上記実施形態では、タイン３０に、２回巻きされた弦巻状のバネ部４０が備えられているものが一例に示されているが、これに限られない。例えば、タイン３０を、１回巻、３回巻以上した他のバネ部が備えられていてもよい。また、例えば、バネ部４０が備えられていないタインであってもよい。
【００５８】
（１０）上記実施形態では、前下がりに屈曲されている支持フレーム２５が一例に示されているが、前後方向に真っ直ぐで屈曲されていない他の支持フレームであってもよい。
【符号の説明】
【００５９】
２０          ：掻込リール
２１          ：刈刃
２５          ：支持フレーム
２６          ：リールフレーム
２８          ：支持バー
３０，１３０  ：タイン
３４，１３４  ：支持部
４０，１４０  ：バネ部
４５          ：ハンプカバー（カバー）
４５ａ        ：一端部（端部）
４５ｂ        ：他端部（端部）
４６          ：貫通孔（貫通部）
４８          ：固定具
１３１        ：下方延出部
１３２        ：前方延出部
１３３        ：後方延出部
【図１】
2015136301.tif 000003
【図２】
2015136301.tif 000004
【図３】
2015136301.tif 000005
【図４】
2015136301.tif 000006
【図５】
2015136301.tif 000007
【図６】
2015136301.tif 000008
【図７】
2015136301.tif 000009
【図８】
2015136301.tif 000010
【図９】
2015136301.tif 000011
【図１０】
2015136301.tif 000012
【図１１】
2015136301.tif 000013